(57)【要約】      （修正有）【課題】水栓と送水管とを接続する管継手が水栓ボックスに収容された構造において、水栓ボックスを大きくすることなく、水栓側から、給水管に沿うヒーターガイド管へヒーター線を挿通し易くする管継手構造を提供する。【解決手段】管継手構造１０は、送水管２４と水栓とを接続する管継手１６と、管継手１６が収容される水栓ボックス１８と、水栓ボックス１８の水栓側に設けられ、水栓を管継手１６に接続可能とする第１開口部３１が形成された平板２０と、平板２０を水栓側から覆い、水栓を管継手１６に接続可能とする第２開口部３２が形成されると共に、正面視で管継手１６と重ならない位置に第３開口部３３が形成された化粧板２２と、を備え、第３開口部３３にはヒーターガイド管３０を挿通可能とされ、平板２０は、ヒーターガイド管３０の管継手１６側の端部３０Ａを第３開口部３３側に向けるガイド３４を有する。【選択図】図６
2020117863.tif 000002
【特許請求の範囲】
【請求項１】
液体が流される送水管と、前記送水管の軸方向と交差する方向に取り付けられる水栓とを接続する管継手と、
前記管継手が収容される水栓ボックスと、
前記水栓ボックスの前記水栓側に設けられ、前記水栓を前記管継手に接続可能とする第１開口部が形成された平板と、
前記平板を前記水栓側から覆い、前記水栓を前記管継手に接続可能とする第２開口部が形成されると共に、正面視で前記管継手と重ならない位置に第３開口部が形成された化粧板と、
を備え、
前記第３開口部には、前記送水管に沿って設けられ内側にヒーター線を通すことが可能なヒーターガイド管を挿通可能とされ、
前記平板は、正面視で前記化粧板の第３開口部と重なる位置に切欠きを有すると共に、前記平板に対して前記水栓ボックスの内部へ向かって斜めに延び、前記ヒーターガイド管の前記管継手側の端部を前記第３開口部側に向けるガイドを有する、管継手構造。
【請求項２】
前記化粧板の前記第３開口部は、前記第２開口部よりも前記送水管に近い位置にある、請求項１に記載の管継手構造。
【請求項３】
前記ガイドは、前記平板に対し３５〜４５°の角度で設けられている、請求項１又は請求項２に記載の管継手構造。
【請求項４】
前記平板における前記ガイドとは別の位置には、前記ヒーターガイド管の前記管継手側の端部を引掛け可能であり前記化粧板に覆われる引掛け部が設けられている、請求項１〜請求項３の何れか１項に記載の管継手構造。
【請求項５】
前記化粧板の前記第３開口部の少なくとも一部が、前記ヒーターガイド管が延びる方向に長い楕円形状となっている、請求項１〜請求項４の何れか１項に記載の管継手構造。
【請求項６】
前記化粧板の前記第３開口部を閉塞可能な蓋部材を有する、請求項１〜請求項５の何れか１項に記載の管継手構造。
【発明の詳細な説明】
【技術分野】
【０００１】
本発明は、管継手構造に関する。
【背景技術】
【０００２】
ボイラーにヘッダーボックスを取り付け、空気の通る管をヘッダーボックス内のエアーヘッダーに接続し、該空気の通る管を給水管と共にサヤ管により被覆した構造が開示されている（特許文献１参照）。この構造では、建物内外の空気を送風機によって取り入れてヘッダーボックスの内のエアーヘッダーに通し、空気又は温風を空気の通る管に送ることによって、給水管の凍結を防止している。
【先行技術文献】
【特許文献】
【０００３】
【特許文献１】特開２００４−２５０８６１号公報
【発明の概要】
【発明が解決しようとする課題】
【０００４】
しかし、凍結防止のために空気や温風を用いることは、熱効率やコストの点で好ましくないと考えられる。
【０００５】
本発明は、水栓と送水管とを接続する管継手が水栓ボックスに収容された構造において、水栓ボックスを大きくすることなく、水栓側から、給水管に沿うヒーターガイド管へヒーター線を挿通し易くすることを目的とする。
【課題を解決するための手段】
【０００６】
第１の態様に係る管継手構造は、液体が流される送水管と、前記送水管の軸方向と交差する方向に取り付けられる水栓とを接続する管継手と、前記管継手が収容される水栓ボックスと、前記水栓ボックスの前記水栓側に設けられ、前記水栓を前記管継手に接続可能とする第１開口部が形成された平板と、前記平板を前記水栓側から覆い、前記水栓を前記管継手に接続可能とする第２開口部が形成されると共に、正面視で前記管継手と重ならない位置に第３開口部が形成された化粧板と、を備え、前記第３開口部には、前記送水管に沿って設けられ内側にヒーター線を通すことが可能なヒーターガイド管を挿通可能とされ、前記平板は、正面視で前記化粧板の第３開口部と重なる位置に切欠きを有すると共に、前記平板に対して前記水栓ボックスの内部へ向かって斜めに延び、前記ヒーターガイド管の前記管継手側の端部を前記第３開口部側に向けるガイドを有する。
【０００７】
この管継手構造では、水栓ボックスに設けられる化粧板の第３開口部にヒーターガイド管を挿通可能である。ヒーターガイド管は、送水管に沿って設けられ、内部にヒーター線を挿通可能である。このヒーターガイド管の端部を、平板の第１開口部及び化粧板の第３開口部を通じて、化粧板の手前に容易に引き出すことができる。第３開口部は、正面視で管継手と重ならない位置に形成されているので、管継手に接続される水栓とヒーターガイド管とが干渉し難い。したがって、水栓ボックスの大きさを大きくしなくても、ヒーターガイド管の内側にヒーター線を通し易い。
【０００８】
第２の態様は、第１の態様に係る管継手構造において、前記化粧板の前記第３開口部が、前記第２開口部よりも前記送水管に近い位置にある。
【０００９】
第３開口部が第２開口部に対し送水管から遠い側にあると、管継手をよけながらヒーターガイド管を通すことになるので、その部位にヒーター線を通し難くなる。この管継手構造では、第３開口部が第２開口部よりも送水管に近い位置にあるので、ヒーターガイド管にヒーター線を通し易くなるように、該ヒーターガイド管を水栓ボックスに取り付けることができる。
【００１０】
第３の態様は、第１の態様又は第２の態様に係る管継手構造において、前記ガイドが、前記平板に対し３５〜４５°の角度で設けられている。
【００１１】
この管継手構造では、ガイドが平板に対し３５〜４５°の角度で設けられているので、ヒーターガイド管の管継手側の端部を、化粧板の第３開口部を通じて化粧板の手前に引き出したときに、ヒーターガイド管を大きな曲率半径で湾曲させることができる。このため、ヒーターガイド管にヒーター線を更に通し易くなる。
【００１２】
第４の態様は、第１〜第３の態様の何れか１態様に係る管継手構造において、前記平板における前記ガイドとは別の位置には、前記ヒーターガイド管の前記管継手側の端部を引掛け可能であり前記化粧板に覆われる引掛け部が設けられている。
【００１３】
ヒーターガイド管にヒーター線を通さない場合、つまりヒーターガイド管の非使用時には、ヒーターガイド管が化粧板の第３開口部から見えていると見栄えが良くない。この管継手構造では、平板に設けられた引掛け部に、ヒーターガイド管の管継手側の端部を引掛け可能であるので、ヒーターガイド管の非使用時に、ヒーターガイド管の管継手側の端部を水栓ボックス内に容易に収めることができる。また、ヒーターガイド管の使用時には、化粧板を水栓ボックスから外し、ヒーターガイド管の端部を引掛け部から外し、化粧板の第３開口部に通しつつ、化粧板を水栓ボックスに取り付けることで、ヒーターガイド管の端部を容易に引き出すことができる。
【００１４】
第５の態様は、第１〜第４の態様の何れか１態様に係る管継手構造において、前記化粧板の前記第３開口部の少なくとも一部が、前記ヒーターガイド管が延びる方向に長い楕円形状となっている。
【００１５】
この管継手構造では、化粧板の第３開口部の少なくとも一部が、ヒーターガイド管が延びる方向に長い楕円形状となっているので、ヒーターガイド管の管継手側の端部が化粧板に対して傾いた状態でも、該端部を第３開口部に通し易い。
【００１６】
第６の態様は、第１〜第５の態様の何れか１態様に係る管継手構造において、前記化粧板の前記第３開口部を閉塞可能な蓋部材を有する。
【００１７】
この管継手構造では、ヒーターガイド管の非使用時に、化粧板の第３開口部を蓋部材により閉塞できる。このため、ヒーターガイド管の非使用時における化粧板の見栄えを向上させることができる。
【発明の効果】
【００１８】
本発明に係る管継手構造によれば、水栓と送水管とを接続する管継手が水栓ボックスに収容された構造において、水栓ボックスを大きくすることなく、水栓側から、給水管に沿うヒーターガイド管へヒーター線を挿通し易くすることができる。
【図面の簡単な説明】
【００１９】
【図１】本実施形態に係る管継手構造において、ヒーターガイド管が第３開口部に露出した状態を示す斜視図である。
【図２】本実施形態に係る管継手構造において、第３開口部が蓋部材により閉塞された状態を示す斜視図である。
【図３】本実施形態に係る管継手構造を示す分解斜視図である。
【図４】本実施形態に係る管継手構造において、化粧板を取り外した状態を示す正面図である。
【図５】図４において、化粧板固定枠を取り外した状態を示す正面図である。
【図６】本実施形態に係る管継手構造を示す、図１における６−６矢視拡大断面図（水栓は省略）である。
【図７】ヒーターガイド管の管継手側の端部がガイドの位置まで押し込まれ、第３開口部が蓋部材により閉塞された状態を示す拡大断面図である。
【図８】第３開口部が蓋部材により閉塞され、第３開口部の奥にヒーターガイド管の管継手側の端部が位置している状態を示す、部分破断拡大正面図である。
【図９】ヒーターガイド管の管継手側の端部に抜止め部材が取り付けられ、該抜止め部材によって該端部がガイドに係止されている状態を示す部分拡大正面図である。
【図１０】ヒーターガイド管の管継手側の端部が、平板の引掛け部に引っ掛けられている状態を示す部分拡大正面図である。
【発明を実施するための形態】
【００２０】
以下、本発明を実施するための形態を図面に基づき説明する。図１、図２において、本実施形態に係る管継手構造１０は、建物の壁１２における例えば室内側に水栓１４を接続するために用いられる。図３において、管継手構造１０は、管継手１６と、水栓ボックス１８と、平板２０と、化粧板２２と、を有している。壁１２には、略矩形の貫通部１２Ａが形成されている。貫通部１２Ａの縦横寸法は、例えば平板２０の縦横寸法よりも若干小さく設定されている。なお、図４、図５、図９、図１０では、壁１２の図示が省略されている。
【００２１】
図６において、管継手１６は、液体が流される送水管２４と、送水管２４の軸方向と交差する方向に取り付けられる水栓１４（図１）とを接続する配管部材である。この管継手１６は、Ｌ字形に形成された所謂エルボであるが、他の各種形状であってもよい。
【００２２】
送水管２４は、壁１２に沿って略鉛直方向に延び、上端が管継手１６の一端１６Ａに接続された、例えば樹脂管である。送水管２４の樹脂材料としては、例えば、ポリブテン、ポリエチレン、架橋ポリエチレン、及びポリプロピレン等のポリオレフィン、並びに塩化ビニル等が挙げられる。樹脂は１種のみを用いても２種以上を併用してもよい。樹脂の中でも、ポリブテンが好適に用いられ、ポリブテンを主成分として含むことが好ましい。例えば、送水管２４を構成する樹脂材料中において、ポリブテンを８５質量％以上含むことがより好ましい。また、送水管２４を構成する樹脂材料には、他に添加剤が含有されてもよい。
【００２３】
送水管２４の外径は、特に限定されるものではないが、例えば１０ｍｍ〜１００ｍｍの範囲に設定されている。最も好ましい送水管２４の外径は１２ｍｍ〜３５ｍｍの範囲である。
【００２４】
また、送水管２４の厚さは、特に限定されるものではないが、例えば１．０ｍｍ〜５．０ｍｍに設定されている。最も好ましい送水管２４の厚さは１．４ｍｍ〜３．２ｍｍの範囲である。
【００２５】
管継手１６の他端１６Ｂは、壁１２と直交する方向に向けられると共に、該壁１２、平板２０及び化粧板２２を通じて室内側に開口している。管継手１６の他端１６Ｂの端面は、例えば化粧板２２の表面と略面一となるように配置されている。図１において、水栓１４は、管継手１６に直接接続されているが、これに限られず、水栓１４と管継手１６との間に他の配管が接続されていてもよい。また、水栓１４の構成は、図示のものに限られない。
【００２６】
水栓ボックス１８は、管継手１６が収容される部材である。図３に示されるように、水栓ボックス１８は、例えば上壁１８Ａ、一対の側壁１８Ｂ、奥壁１８Ｃを有している。奥壁１８Ｃには、複数の雌ねじ１８Ｄが形成されている。管継手１６には、貫通孔１６Ｄを有する取付け座１６Ｃが設けられている。取付け座１６Ｃは、管継手１６の水栓ボックス１８への取付け時に奥壁１８Ｃと対向する部位である。この貫通孔１６Ｄにねじ２６を通し、該ねじ２６を奥壁１８Ｃの雌ねじ１８Ｄに螺合させることにより、取付け座１６Ｃが奥壁１８Ｃに固定される。このようにして、管継手１６が水栓ボックス１８に締結されている。
【００２７】
管継手１６には、奥壁１８Ｃと対向する取付け座１６Ｃだけでなく、上壁１８Ａと対向する取付け座１６Ｅも設けられている。図示は省略するが、上壁１８Ａに雌ねじを設けておき、管継手１６を水栓ボックス１８に締結する際に、取付け座１６Ｅを上壁１８Ａに固定することも可能である。
【００２８】
側壁１８Ｂの壁１２側の端部には、雌ねじ１８Ｅが形成された取付け座１８Ｆが設けられている。図６に示されるように、取付け座１８Ｆは、両側の側壁１８Ｂの端縁をそれぞれ折り曲げて形成されている。雌ねじ１８Ｅは、取付け座１８Ｆの上端部と下端部にそれぞれ設けられている。この取付け座１８Ｆの少なくとも一部は、水栓ボックス１８の壁１２への取付け時Ｆに、該壁１２の室外側に当接するようになっている。
【００２９】
図２、図５に示されるように、平板２０は、水栓ボックス１８の水栓１４（図１）側に設けられている。具体的には、水栓ボックス１８が壁１２の室外側に設けられるのに対し、平板２０は、水栓１４（図１）が設けられる側、つまり壁１２の室内側に設けられている。換言すれば、壁１２は、平板２０と水栓ボックス１８とによって挟まれている。
【００３０】
平板２０の四隅には、ねじ２８が挿通される貫通孔２０Ａが形成されている。ねじ２８は、室内側から貫通孔２０Ａに差し込まれ、壁１２の貫通部１２Ａを通じて室外側へ達し、水栓ボックス１８の雌ねじ１８Ｅに螺合している。これにより、平板２０と水栓ボックス１８とが締結されている。
【００３１】
図３から図６において、平板２０には、水栓１４（図１）を管継手１６に接続可能とする第１開口部３１が形成されている。この第１開口部３１は、例えば切欠きであり、管継手１６の他端１６Ｂが挿通可能なように、該他端１６Ｂの外径よりも一回り大きく形成されている。平板２０のうち、正面視で化粧板２２の第３開口部３３（後述）と重なる位置には、後述するヒーターガイド管３０を通すための切欠き２０Ｂが形成されている。切欠き２０Ｂは、鉛直方向に長い略矩形に形成されている。切欠き２０Ｂは、第１開口部３１に連なっており、例えば打抜き加工により第１開口部３１及び切欠き２０Ｂを一度に成形可能である。
【００３２】
図６に示されるように、平板２０における例えば切欠き２０Ｂの下端には、ガイド３４が一体的に設けられている。このガイド３４は、平板２０に対して水栓ボックス１８の内部へ向かって、例えば斜め上方に延び、ヒーターガイド管３０の管継手１６側の端部３０Ａ（以下、単に「ヒーターガイド管３０の端部３０Ａ」と称する。）を、化粧板２２の第３開口部３３（後述）側に向ける部位である。ガイド３４は、例えばプレス成形により平板２０に一体成形され、平板２０に対し、例えば３５〜４５°の角度で設けられている。換言すれば、ガイド３４と平板２０とがなす角度θが、３５〜４５°である。
【００３３】
図３、図５に示されるように、ガイド３４には、ヒーターガイド管３０を挿通可能な例えば貫通孔３４Ａが形成されている。図３において、貫通孔３４Ａは、貫通孔２０Ａよりも平板２０の幅方向内側で、かつ雌ねじ２０Ｃよりも平板２０の幅方向外側に設けられている。このガイド３４により、ヒーターガイド管３０の端部３０Ａが下側のねじ２８と干渉せずに（図４）、化粧板２２の第３開口部３３に案内されるようになっている。なお、貫通孔３４Ａの代わりに切欠き（図示せず）がガイド３４に形成されていてもよい。
【００３４】
図５、図１０に示されるように、平板２０におけるガイド３４とは別の位置には、引掛け部３６が設けられている。この引掛け部３６は、ヒーターガイド管３０の端部３０Ａを引掛け可能である。また、引掛け部３６は、通常時は化粧板２２に覆われている。引掛け部３６は、例えば、平板２０の正面視において、切欠き２０Ｂの左上の隅部に形成された矩形の張出し部である。引掛け部３６には、上側のねじ２８が挿通される貫通孔２０Ａ（図３）が形成されているが、引掛け部３６は、ねじ２８よりも下方に張り出している。したがって、ねじ２８が存在していても、ヒーターガイド管３０の端部３０Ａを引掛け部３６に引掛け可能である。なお、引掛け部３６の位置はこれに限られず、切欠き２０Ｂの上下方向の中央部等、他の位置に設けられていてもよい。
【００３５】
引掛け部３６を設ける代わりに、図９に示されるように、ヒーターガイド管３０のうちガイド３４より上方に、抜止め部材４６が取り付けられていてもよい。抜止め部材４６はヒーターガイド管３０に嵌め込まれる例えばリングである。抜止め部材４６の内径は、ヒーターガイド管３０の外径よりわずかに小さい。これにより、抜止め部材４６がヒーターガイド管３０から容易に離脱することがないようになっている。また、抜止め部材４６の外径は、ガイド３４の貫通孔３４Ａの直径より大きい。これにより、抜止め部材４６が貫通孔３４Ａを通過しないようになっている。
【００３６】
図３に示されるように、平板２０における例えば上下２箇所の左右方向中央部には、雌ねじ２０Ｃが設けられている。この雌ねじ２０Ｃは、化粧板固定枠３８を平板２０に締結するためのねじ部である。化粧板固定枠３８における上下２箇所の左右方向中央部には、ねじ４１が挿通される貫通孔３８Ａが形成されている。ねじ４１は、室内側から貫通孔３８Ａに差し込まれ、平板２０の雌ねじ２０Ｃに螺合している。これにより、化粧板固定枠３８と平板２０とが締結されている。図６に示されるように、化粧板固定枠３８は、平板２０の周囲を囲むようにして、壁１２に当接又は近接している。
【００３７】
図４に示されるように、化粧板固定枠３８の左側には、矩形の張出し部３８Ｂが設けられている。この張出し部３８Ｂには、例えば楕円孔３８Ｃが形成されている。この楕円孔３８Ｃには、ヒーターガイド管３０が挿通されるようになっている。
【００３８】
図１から図３、図６、図７において、化粧板２２は、平板２０を水栓１４（図１）側から覆う部材である。具体的には、化粧板２２は、化粧板固定枠３８に、例えば爪嵌合により着脱自在に嵌め込まれている。化粧板２２には、水栓１４を管継手１６に接続可能とする第２開口部３２が形成されると共に、正面視で管継手１６と重ならない位置に第３開口部３３が形成されている。
【００３９】
第２開口部３２は例えば円孔であり、管継手１６の他端１６Ｂが挿通可能なように、該他端１６Ｂの外径よりも一回り大きく形成されている（図６）。他端１６Ｂが化粧板２２より水栓ボックス１８側に奥まっている場合には、第２開口部３２を通じて水栓１４を他端１６Ｂに接続可能であればよい。この場合、第２開口部３２が他端１６Ｂの外径より小さくてもよい。
【００４０】
第３開口部３３には、ヒーターガイド管３０を挿通可能とされている。ヒーターガイド管３０は、送水管２４に沿って設けられ、内側にヒーター線４０（図１）を通すことが可能な、可撓性を有する例えば樹脂管である。図４、図５に示されるように、送水管２４とヒーターガイド管３０は、樹脂製の被覆層４４により覆われ、互いに密着した状態で束ねられている。これにより、複合管５０が構成されている。
【００４１】
被覆層４４としての樹脂には、例えば、ポリウレタン、ポリスチレン、ポリエチレン、ポリプロピレン、及びエチレンプロピレンジエンゴム、並びにこれらの樹脂の混合物が挙げられる。樹脂の中でも、ポリウレタンが好ましい。被覆層４４はポリウレタンを主成分として含む層（すなわち、多孔質ウレタン層）であることが好ましい。例えば、被覆層４４の構成成分中において、ポリウレタンを８０質量％以上含むことが好ましく、９０質量％以上含むことがより好ましい。なお、被覆層４４としての多孔質樹脂層には、他の添加剤が含有されてもよい。
【００４２】
被覆層４４における孔の存在比率（例えば、発泡体の場合であれば発泡率）はＪＩＳ−Ｋ６４００−１（２０１２年）の付属書１に記載の方法を用いて測定することができる。ここでは、２５個／２５ｍｍ以上の存在比率であることが好ましく、更に４５個／２５ｍｍ以下の存在比率であることがより好ましい。被覆層４４は発泡体であることが好ましい。
【００４３】
また、被覆層４４としての多孔質樹脂層の密度は１２ｋｇ／ｍ３〜２２ｋｇ／ｍ３の範囲に設定されている。
【００４４】
送水管２４の端部を管継手１６の一端１６Ａに接続するときに、被覆層４４の端部を送水管２４の軸方向に沿って短縮変形させてずらすと、送水管２４の端部が露出する。多孔質樹脂層の密度が２２ｋｇ／ｍ３以下に設定されることにより、被覆層４４は適度な柔軟性を有している。したがって、複合管５０における被覆層４４の端部を容易に短縮変形させて送水管２４の端部を露出させることができる。
【００４５】
一方、多孔質樹脂層の密度が１２ｋｇ／ｍ３以上に設定されることにより、被覆層４４は適度な強度を有し、送水管２４とヒーターガイド管３０を含む複合管５０の製造等の加工時における被覆層４４の破れや破損の発生を効果的に抑制することができる。
【００４６】
ここで、多孔質樹脂層の密度はＪＩＳ−Ｋ７２２２（２００５年）に規定の方法により測定することができる。なお、測定環境は温度２３℃、相対湿度４５％である。
【００４７】
多孔質樹脂層の密度を上記範囲に制御する方法としては、特に限定されるものではないが、例えば孔の存在比率（例えば、発泡体である場合であれば発泡率）を調整する方法、樹脂の分子構造を調整する方法等が挙げられる。樹脂の分子構造を調整する方法として、樹脂の原料となるモノマーの分子構造や、それらの架橋構造を調整する方法を実用的に使用することができる。
【００４８】
ヒーターガイド管３０は、ポリエチレン、ポリプロピレン又は脂肪族ポリアミドを主素材とする合成樹脂材により形成された管であり、可撓性を有している。また、ヒーターガイド管３０は、例えば送水管２４よりも小径で、表面に凹凸のない円管である。ヒーターガイド管３０は、一般的には、５ｍｍから２０ｍｍの外径を有し、内部にヒーター線４０を挿通して、その発熱を外部に十分伝えられる部材である。なお、ヒーターガイド管３０が、山部と谷部を有する蛇腹状の管、所謂コルゲート管であってもよい。ヒーターガイド管３０が送水管２４よりも小径であることから、図３に示されるように、ヒーターガイド管３０が挿通される第３開口部３３は、管継手１６の他端１６Ｂが挿通される第２開口部３２より小さい。
【００４９】
ヒーター線４０としては、サーモスタット付ヒーター若しくは自己制御型ヒーターのどちらのヒーター線でも良いが、好ましくは、自己制御型ヒーターがよい。自己制御型ヒーターを使用することで、特に凍結が予想される部分にのみヒーターガイド管３０を配管するなど、送水管２４を効率よく暖めることができる。
【００５０】
第３開口部３３は、第２開口部３２よりも送水管２４に近い位置にある。具体的には、化粧板２２の正面視において、第３開口部３３は、水栓１４のフランジ１４Ａと干渉しない位置、例えば第２開口部３２の左下に位置している。水栓１４の種類によっては、フランジ１４Ａでなく椀座（図示せず）が用いられることがあるが、第３開口部３３は、この椀座とも干渉しないように配置されている。
【００５１】
第３開口部３３の少なくとも一部は、ヒーターガイド管３０が延びる方向に長い楕円形状となっている。図１、図３、図８に示されるように、第３開口部３３の室内側には、断面Ｕ字状の案内部２２Ａが張り出している。図６に示されるように、案内部２２Ａは、室内側に向かって斜め上方に張り出している。
【００５２】
一方、第３開口部３３の裏側には、室外側に向かって斜め下方に延びる案内部２２Ｂが張り出している。案内部２２Ｂは、第３開口部３３における案内部２２Ａの反対側に位置している。案内部２２Ａ，２２Ｂは、筒状に構成されている。
【００５３】
上記の案内部２２Ａ，２２Ｂは、化粧板２２に一体成形されている。ヒーターガイド管３０の端部３０Ａは、案内部２２Ａ，２２Ｂに案内されることで、室内側の斜め上方に開口した状態とされる。
【００５４】
図２、図８に示されるように、本実施形態では、ヒーターガイド管３０の非使用時には、化粧板２２の第３開口部３３に蓋部材４２を取り付けて閉塞可能とされている。蓋部材４２は、蓋本体４２Ａと、嵌合部４２Ｂとを有している。蓋本体４２Ａは、蓋部材４２の取付け時に室内側に露出する部位である。嵌合部４２Ｂは、筒状の案内部２２Ａ，２２Ｂに嵌め込まれる部位である。
【００５５】
（作用）
本実施形態は、上記のように構成されており、以下その作用について説明する。図１、図６において、本実施形態に係る管継手構造１０では、水栓ボックス１８に設けられる化粧板２２の第３開口部３３にヒーターガイド管３０を挿通可能である。図４、図５に示されるように、ヒーターガイド管３０は、送水管２４に沿って設けられ、内部にヒーター線４０を挿通可能である。このヒーターガイド管３０の端部３０Ａを、平板２０の第１開口部３１及び化粧板２２の第３開口部３３を通じて、化粧板２２の手前に容易に引き出すことができる。第３開口部３３は、正面視で管継手１６と重ならない位置に形成されているので、管継手１６に接続される水栓１４とヒーターガイド管３０とが干渉し難い。したがって、水栓ボックス１８の大きさを大きくしなくても、ヒーターガイド管３０の内側にヒーター線４０を通し易い。
【００５６】
第３開口部３３が第２開口部３２に対し送水管２４から遠い側にあると、管継手１６をよけながらヒーターガイド管３０を通すことになるので、その部位にヒーター線４０を通し難くなる。本実施形態では、第３開口部３３が第２開口部３２よりも送水管２４に近い位置にあるので、ヒーターガイド管３０にヒーター線４０を通し易くなるように、該ヒーターガイド管３０を水栓ボックス１８に取り付けることができる。
【００５７】
また、図６に示されるように、本実施形態では、ガイド３４が平板２０に対し３５〜４５°の角度θで設けられている。したがって、ヒーターガイド管３０の端部３０Ａを、化粧板２２の第３開口部３３を通じて化粧板２２の手前に引き出したときに、ヒーターガイド管３０を大きな曲率半径Ｒで湾曲させることができる。曲率半径Ｒは、例えば１３０ｍｍ以上であることが望ましい。このため、ヒーターガイド管３０にヒーター線４０を更に通し易くなる。ヒーターガイド管３０に通したヒーター線４０に電力を供給することにより、送水管２４内の液体の凍結を防止できる。
【００５８】
ヒーターガイド管３０にヒーター線４０を通さない場合、つまりヒーターガイド管３０の非使用時には、ヒーターガイド管３０が化粧板２２の第３開口部３３から見えていると見栄えが良くない。本実施形態では、図１０に示されるように、平板２０に設けられた引掛け部３６に、ヒーターガイド管３０の端部３０Ａを引掛け可能である。したがって、ヒーターガイド管３０の非使用時に、ヒーターガイド管３０の端部３０Ａを水栓ボックス１８内に容易に収めることができる。引掛け部３６の代わりに、図９に示されるように、抜止め部材４６を用いて、ヒーターガイド管３０の端部３０Ａを水栓ボックス１８内に収めてもよい。
【００５９】
ヒーターガイド管３０を再度使用する時には、化粧板２２を水栓ボックス１８から外し、ヒーターガイド管３０の端部３０Ａを引掛け部３６から外し、化粧板２２の第３開口部３３に通しつつ、化粧板２２を水栓ボックス１８に取り付ける。これにより、ヒーターガイド管３０の端部３０Ａを容易に室内側に引き出すことができる。
【００６０】
本実施形態では、化粧板２２の第３開口部３３の少なくとも一部が、ヒーターガイド管３０が延びる方向に長い楕円形状となっているので、ヒーターガイド管３０の端部３０Ａが化粧板２２に対して傾いた状態でも、該端部３０Ａを第３開口部３３に通し易い。
【００６１】
また、図２、図８に示されるように、本実施形態では、ヒーターガイド管３０の非使用時に、化粧板２２の第３開口部３３を蓋部材４２により閉塞できる。このため、ヒーターガイド管３０の非使用時における化粧板２２の見栄えを向上させることができる。
【００６２】
このように、本実施形態によれば、水栓１４と送水管２４とを接続する管継手１６が水栓ボックス１８に収容された構造において、水栓ボックス１８を大きくすることなく、水栓１４側から、給水管に沿うヒーターガイド管３０へヒーター線４０を挿通し易くすることができる。
【００６３】
［他の実施形態］
以上、本発明の実施形態の一例について説明したが、本発明の実施形態は、上記に限定されるものでなく、上記以外にも、その主旨を逸脱しない範囲内において種々変形して実施可能であることは勿論である。
【００６４】
平板２０における第１開口部３１が切欠きであるものとしたが、第１開口部３１は貫通孔であってもよい。また、化粧板２２の第３開口部３３が、第２開口部３２よりも送水管２４に近い位置にあるものとしたが、第３開口部３３の位置はこれに限られない。
【００６５】
ガイド３４が、平板２０に対し３５〜４５°の角度θで設けられているものとしたが、角度θはこれに限られない。
【００６６】
平板２０におけるガイド３４とは別の位置に、ヒーターガイド管３０の端部３０Ａを引掛け可能な引掛け部３６が設けられるものとしたが、引掛け部３６が設けられない構成であってもよい。
【００６７】
第３開口部３３の少なくとも一部が、ヒーターガイド管３０が延びる方向に長い楕円形状となっているものとしたが、第３開口部３３の形状はこれに限られない。
【００６８】
化粧板２２の第３開口部３３を閉塞可能な蓋部材４２を用いない構成としてもよい。
【符号の説明】
【００６９】
１０…管継手構造、１４…水栓、１６…管継手、１６Ａ…一端、１６Ｂ…他端、１８…水栓ボックス、２０…平板、２２…化粧板、２４…送水管、３０…ヒーターガイド管、３０Ａ…端部、３１…第１開口部、３２…第２開口部、３３…第３開口部、３４…ガイド、３６…引掛け部、４０…ヒーター線、４２…蓋部材
【図１】
2020117863.tif 000003
【図２】
2020117863.tif 000004
【図３】
2020117863.tif 000005
【図４】
2020117863.tif 000006
【図５】
2020117863.tif 000007
【図６】
2020117863.tif 000008
【図７】
2020117863.tif 000009
【図８】
2020117863.tif 000010
【図９】
2020117863.tif 000011
【図１０】
2020117863.tif 000012